【手続補正書】
【提出日】平成15年10月14日(2003.10.14)
【手続補正１】
【補正対象書類名】明細書
【補正対象項目名】特許請求の範囲
【補正方法】変更
【補正の内容】
【特許請求の範囲】
【請求項１】
遊技機周辺に配置される液晶表示装置を含んで構成されかつ該遊技機から情報を入力する遊技機用表示装置に対して、前記入力した情報に基づいて前記遊技機の作動状況を前記液晶表示装置に表示する機能及び時刻の少なくとも一方を設定するための設定データを遊技機の種類毎に記憶する複数の記憶手段と、
前記複数の記憶手段のいずれかに記憶された設定データを、該設定データが記憶された記憶手段を選択して読み出す指示を入力する入力手段と、
前記入力手段により入力された指示に基づいて記憶手段を選択し、選択された記憶手段から前記設定データを読み出し、読み出した設定データを発信する発信手段と、
により構成された遊技機用表示装置遠隔操作装置。
【請求項２】
遊技機周辺に配置される表示手段を含んで構成されかつ該遊技機から情報を入力する遊技機用表示装置に対して、前記入力した情報に基づいて前記遊技機で発生した特賞の特賞発生回数と前記特賞が発生するための最初の特賞発生条件の発生条件発生回数との比、前記特賞発生回数の経時変化、及び前記特賞発生条件発生回数の経時変化の少なくとも１つを前記表示手段に表示する機能及び時刻の少なくとも一方を設定するための設定データを遊技機の種類毎に記憶する複数の記憶手段と、
前記複数の記憶手段のいずれかに記憶された設定データを、該設定データが記憶された記憶手段を選択して読み出す指示を入力する入力手段と、
前記入力手段により入力された指示に基づいて記憶手段を選択し、選択された記憶手段から前記設定データを読み出し、読み出した設定データを発信する発信手段と、
により構成された遊技機用表示装置遠隔操作装置。
【請求項３】
遊技機周辺に配置される表示手段を含んで構成されかつ該遊技機から情報を入力する遊技機用表示装置に対して、前記遊技機で遊技する遊技者のスタート回数、投入玉数、賞品玉数及び賞品玉数から投入玉数を減算した演算値を当該遊技者の状況として前記表示手段に表示する機能及び時刻の少なくとも一方を設定するための設定データを遊技機の種類毎に記憶する複数の記憶手段と、
前記複数の記憶手段のいずれかに記憶された設定データを、該設定データが記憶された記憶手段を選択して読み出す指示を入力する入力手段と、
前記入力手段により入力された指示に基づいて記憶手段を選択し、選択された記憶手段から前記設定データを読み出し、読み出した設定データを発信する発信手段と、
により構成された遊技機用表示装置遠隔操作装置。
【請求項４】
遊技機周辺に配置される表示手段を含んで構成されかつ該遊技機から情報を入力する遊技機用表示装置に対して、前記遊技機からの賞品玉を遊技機の遊技に利用できない交換、該交換が再度抽選されるまで前記賞品玉を遊技機の遊技に利用できる連続、及び閉店時まで前記賞品玉を遊技機の遊技に利用できる無制限の１つを抽選する機能及び時刻の少なくとも１つを設定するための設定データを遊技機の種類毎に記憶する複数の記憶手段と、
前記複数の記憶手段のいずれかに記憶された設定データを、該設定データが記憶された記憶手段を選択して読み出す指示を入力する入力手段と、
前記入力手段により入力された指示に基づいて記憶手段を選択し、選択された記憶手段から前記設定データを読み出し、読み出した設定データを発信する発信手段と、
により構成された遊技機用表示装置遠隔操作装置。
【請求項５】
前記機能があることを前記表示手段に表示するように更に設定することを特徴とする請求項４記載の遊技機用表示装置遠隔操作装置。
【手続補正２】
【補正対象書類名】明細書
【補正対象項目名】００１０
【補正方法】変更
【補正の内容】
【００１０】
【課題を解決するための手段】
上記目的達成のため請求項１記載の発明は、遊技機周辺に配置される液晶表示装置を含んで構成されかつ該遊技機から情報を入力する遊技機用表示装置に対して、前記入力した情報に基づいて前記遊技機の作動状況を前記液晶表示装置に表示する機能及び時刻の少なくとも一方を設定するための設定データを遊技機の種類毎に記憶する複数の記憶手段と、前記複数の記憶手段のいずれかに記憶された設定データを、該設定データが記憶された記憶手段を選択して読み出す指示を入力する入力手段と、前記入力手段により入力された指示に基づいて記憶手段を選択し、選択された記憶手段から前記設定データを読み出し、読み出した設定データを発信する発信手段と、により構成されている。
【手続補正３】
【補正対象書類名】明細書
【補正対象項目名】００１１
【補正方法】変更
【補正の内容】
【００１１】
請求項２記載の発明は、遊技機周辺に配置される表示手段を含んで構成されかつ該遊技機から情報を入力する遊技機用表示装置に対して、前記入力した情報に基づいて前記遊技機で発生した特賞の特賞発生回数と前記特賞が発生するための最初の特賞発生条件の特賞発生条件発生回数との比、前記特賞発生回数の経時変化、及び前記特賞発生条件発生回数の経時変化の少なくとも１つを前記表示手段に表示する機能及び時刻の少なくとも一方を設定するための設定データを遊技機の種類毎に記憶する複数の記憶手段と、前記複数の記憶手段のいずれかに記憶された設定データを、該設定データが記憶された記憶手段を選択して読み出す指示を入力する入力手段と、前記入力手段により入力された指示に基づいて記憶手段を選択し、選択された記憶手段から前記設定データを読み出し、読み出した設定データを発信する発信手段と、により構成されている。
【手続補正４】
【補正対象書類名】明細書
【補正対象項目名】００１２
【補正方法】変更
【補正の内容】
【００１２】
請求項３記載の発明は、遊技機周辺に配置される表示手段を含んで構成されかつ該遊技機から情報を入力する遊技機用表示装置に対して、前記遊技機で遊技する遊技者のスタート回数、投入玉数、賞品玉数及び賞品玉数から投入玉数を減算した演算値を当該遊技者の状況として前記表示手段に表示する機能及び時刻の少なくとも一方を設定するための設定データを遊技機の種類毎に記憶する複数の記憶手段と、前記複数の記憶手段のいずれかに記憶された設定データを、該設定データが記憶された記憶手段を選択して読み出す指示を入力する入力手段と、前記入力手段により入力された指示に基づいて記憶手段を選択し、選択された記憶手段から前記設定データを読み出し、読み出した設定データを発信する発信手段と、により構成されている。
【手続補正５】
【補正対象書類名】明細書
【補正対象項目名】００１３
【補正方法】変更
【補正の内容】
【００１３】
請求項４記載の発明は、遊技機周辺に配置される表示手段を含んで構成されかつ該遊技機から情報を入力する遊技機用表示装置に対して、前記遊技機からの賞品玉を遊技機の遊技に利用できない交換、該交換が再度抽選されるまで前記賞品玉を遊技機の遊技に利用できる連続、及び閉店時まで前記賞品玉を遊技機の遊技に利用できる無制限の１つを抽選する機能及び時刻の少なくとも１つを設定するための設定データを遊技機の種類毎に記憶する複数の記憶手段と、前記複数の記憶手段のいずれかに記憶された設定データを、該設定データが記憶された記憶手段を選択して読み出す指示を入力する入力手段と、前記入力手段により入力された指示に基づいて記憶手段を選択し、選択された記憶手段から前記設定データを読み出し、読み出した設定データを発信する発信手段と、により構成されている。
【手続補正６】
【補正対象書類名】明細書
【補正対象項目名】００１５
【補正方法】削除
【補正の内容】